(57)【要約】    【課題】  本発明の目的は、確実に強盗犯に防犯液を付着させることができる防犯液噴射装置１、２であって、塗料等が溶媒から分離してしまう問題が生じないよう、容易に防犯液を攪拌することのできる防犯液噴射装置１又は自動的に防犯液を攪拌する防犯液噴射装置２を提供することにある。    【解決手段】  タンク１１に収容した防犯液をポンプ１２を使用してノズル２０から噴射させる防犯液噴射装置１、２とする。さらに、入口配管１６を可撓性のある配管とする又はタンク１１と入口配管１６との接続をワンタッチ継３１とするなどして、店員がタンク１１を持ち上げて振ることを容易にする。又は、タンク１１に攪拌装置４を取り付けたり、防犯液噴射装置２に振り子装置３を取り付けたものとする。  そして、防犯液噴射装置１、２を店舗の出入口やカウンター近くに設置する。【選択図】            図１
2006172334.tif 000002
【特許請求の範囲】
【請求項１】
逃走する強盗犯の識別に使用可能な塗料液、発光液、臭気を発する臭気液など（以下単に「防犯液」という。）を収容可能なタンクと、前記防犯液を吸引して加圧するポンプと、前記ポンプで加圧された防犯液を噴射するノズルとを有する防犯液噴射装置であって、タンク内の防犯液を攪拌する攪拌装置を設けたことを特徴とする防犯液噴射装置。
【請求項２】
防犯液を収容可能なタンクと、前記防犯液を吸引して加圧するポンプと、前記ポンプで加圧された防犯液を噴射するノズルとを有する防犯液噴射装置であって、タンクに取り付けた継手とポンプの吸入口に取り付けた継手の間の配管（以下単に「入口配管」という。）を可撓性のある配管としたことを特徴とする防犯液噴射装置。
【請求項３】
請求項１又は請求項２のいずれかに記載した防犯液噴射装置において、タンクと入口配管との接続部にワンタッチ継手を設けたことを特徴とする防犯液噴射装置。
【請求項４】
防犯液を収容可能なタンクと、前記防犯液を吸引して加圧するポンプと、前記ポンプで加圧された防犯液を噴射するノズルとを有する防犯液噴射装置において、さらに、振り子装置を取り付けたことを特徴とする防犯液噴射装置。
【請求項５】
請求項４に記載した防犯液噴射装置において、振り子装置が永久磁石と２個のコイルとトランジスタと電池とを有する振り子装置であることを特徴とする防犯液噴射装置。
【発明の詳細な説明】
【技術分野】
【０００１】
本発明は銀行、郵便局、コンビニエンスストア、パチンコの景品交換所など（以下単に「店舗」という。）に押し込んだ強盗犯に向けて、逃走する強盗犯の識別に使用可能な塗料液、発光液、臭気を発する臭気液など（以下単に「防犯液」という。）を噴射する噴射装置であって、確実に防犯液を強盗犯に付着させることを可能とした防犯液噴射装置に関するものである。
【背景技術】
【０００２】
従来は、塗料等を封入したカラーボールを保有していて、強盗犯が押し込んだ後に逃走する背中に向かってカラーボールを投げて塗料等を強盗犯に付着させていた。しかし、カラーボールを強盗犯にぶつけることは容易でなく、確実に強盗犯に防犯液を付着させることができない問題を有していた。
また、カラーボールに封入した塗料等は時間の経過と共に溶媒から分離してしまう問題があった。塗料等の分離を防止するために従来は、２〜３日毎にカラーボールを振ったりキャッチボールしたりして、塗料等を攪拌する作業が実施されていた。
そのようにしないと塗料等は溶媒から分離してしまい、溶媒から分離した塗料等は粘性が高く流動性に欠けるため、カラーボールが逃走犯に命中したときでも塗料等はカラボールの中で固まっていて、なかなか逃走犯に付着しない問題があった。
防犯液を強盗犯に向かって噴射させる装置としては、容器に塗料等と高圧の気体を封入した防犯装置の考案や発明があった（例えば特許文献１及び２参照）。しかし、流動性に欠ける塗料等をノズルから噴出させることは困難である。
特にバルブのスプールや通路内などで塗料等が固まった場合は、塗料等を噴射する機能を発揮することができない問題を有していた。また、遠くまで塗料等を噴射するためには、過度に容器に封入する気体の圧力を高める必要があり、かかる方法は実用的でない。
また、ガス圧力容器を使用した空気銃式の防犯用液体噴射装置の発明があった（例えば特許文献３参照）。しかし、かかる防犯用液体噴射装は上記した塗料等が分離する問題を解決しておらず、さらに構造が複雑で高価なため実用に欠ける問題を有していた。
【特許文献１】実用新案登録第３００８５７１号公報
【特許文献２】特開２０００−２４２８６７号公報
【特許文献３】特開２００４−２１３６０２号公報
【発明の開示】
【発明が解決しようとする課題】
【０００３】
本発明は、上記した従来技術の欠点を除くためなされたものであって、その目的とするところは、逃走する強盗犯の背中に向かってカラーボールを投げて塗料等を強盗犯に付着させる従来方法と比べ、はるかに確実に強盗犯に防犯液を付着させることができる防犯液噴射装置を提供することにある。
また本発明の目的は、時間の経過と共に塗料等が溶媒から分離してしまう問題が生じないよう、容易に防犯液を攪拌することのできる防犯液噴射装置又は自動的に防犯液を攪拌する機能を有する防犯液噴射装置を提供することにある。
さらに本発明の目的は、特許文献３の空気銃式の防犯用液体噴射装置の発明の有する複雑で高価なものとなる問題をなくし、構造が簡易で小型で安価な防犯液噴射装置を提供することにある。
【課題を解決するための手段】
【０００４】
本発明は、ポンプを使用することにより簡易で小型の防犯液噴射装置とし、さらにタンク内に収容した防犯液を攪拌することを容易にした防犯液噴射装置、又は、自動的にタンク内に収容した防犯液を攪拌することを可能とした防犯液噴射装置とする。
そして、顧客が出入りする店舗の出入口や、顧客がカウンターの前に立つ位置などにめがけて噴射するようカウンター付近に防犯液噴射装置を設置して、銀行員、郵便局員、コンビニエンスストアの店員など（以下単に「店員」という。）がボタンを押すことにより防犯液を噴射する装置とする。
【発明の効果】
【０００５】
本発明に係る防犯液噴射装置を、店舗の出入口やカウンター前の顧客の立ち位置に向かって防犯液を噴射するような位置に設置しておき、強盗犯がその位置を通過するときやその位置に立ったときにボタン操作することにより、カラーボールをぶつける方法と比べてはるかに確実に逃走犯に防犯液を付着させる効果が得られた。
特に店舗の出入口に設置しておいて、強盗犯が発生したときにすぐさまボタン操作して防犯液を噴射すれば、外から顧客が店舗内に入ることを防止して顧客の安全を図ると共に店舗に強盗犯が侵入したことを外部に知らせる効果が得られた。また、強盗犯は床面に広がる防犯液を踏まないと外部に出ることができないので、必ず強盗犯の靴には防犯液が付着する効果が得られた。
また本発明により、容易に防犯液を攪拌することのできる防犯液噴射装置又は自動的に防犯液を攪拌する防犯液噴射装置を提供したので、時間の経過と共に塗料等が溶媒から分離してしまう問題は生じることなく、塗料等が配管途中で固まることがない。
さらに本発明により、構造が簡単でサイズが小型で重量が軽量で安価で使い安い防犯液噴射装置を提供することができた。
【発明を実施するための最良の形態】
【０００６】
請求項１の発明は、防犯液を収容可能なタンクと、前記防犯液を吸引して加圧するポンプと、前記ポンプで加圧された防犯液を噴射するノズルとを有する防犯液噴射装置であって、タンク内の防犯液を攪拌する攪拌装置を設けた防犯液噴射装置とする。
防犯液としては塗料、蛍光塗料、発光塗料又は臭気液など識別性の高いものが好ましい、ポンプは軽量小型のものが好ましい。ノズルは集中噴射して遠くまで防犯液を飛ばすタイプと、分散噴射して広い範囲に防犯液を飛ばすタイプの両方とも好ましい。設置する場所に応じて選定すればよい。
攪拌装置としては、例えば空気ポンプを取り付けて防犯液の下から上に向かって空気を噴出させて防犯液に上昇する流れを起こさせることにより攪拌する方法や、攪拌板を前後や上下方向に往復移動させて攪拌する方法や、軸を中心に攪拌棒を回転させる方法などあり、特にその方法についてこだわるものではない。  
請求項２の発明は、防犯液を収容可能なタンクと、前記防犯液を吸引して加圧するポンプと、前記ポンプで加圧された防犯液を噴射するノズルとを有する防犯液噴射装置であって、タンクに取り付けた継手とポンプの吸入口に取り付けた継手の間の配管（以下単に「入口配管」という。）を可撓性のある配管とした防犯液噴射装置とする。
本発明は、入口配管をゴムホースや樹脂チューブなど折れ曲がり容易な可撓性のある配管として長さに余裕を持たせ、人手によりタンクを持ち上げたり外に出して揺すったりすることにより、タンク内の防犯液を攪拌することを可能としたものである。
【０００７】
請求項３の発明は、請求項１又は請求項２のいずれかに記載した防犯液噴射装置において、タンクと入口配管との接続部にワンタッチ継手を設けた防犯液噴射装置とする。
本発明は、ワンタッチ継手を取り付けてタンクと入口配管とを分離させたり結合させたりすることを容易な構成とし、持ち上げるだけでタンクを取り出すことを可能なものとして、人手によりタンクを揺する作業を容易にしたものである。
請求項４の発明は、防犯液を収容可能なタンクと、前記防犯液を吸引して加圧するポンプと、前記ポンプで加圧された防犯液を噴射するノズルとを有する防犯液噴射装置において、さらに、振り子装置を取り付けた防犯液噴射装置とする。
本発明は、防犯液噴射装置自体を振り子の重りとして使用し、振り子の揺り返す力によりタンク内の防犯液を攪拌するものである。
請求項５の発明は、請求項４に記載した防犯液噴射装置において、振り子装置が永久磁石と２個のコイルとトランジスタと電池とを有する振り子装置である防犯液噴射装置とする。
本発明は、振り子を押すときに永久磁石と一方のコイルとの組み合わせにより飽和電圧を発生させ、トランジスタにベース電流が流れるようにしてコレクター電流を流す。一方振り子が戻るときにはコレクター電流が流れないようにするものである。
このようにすることにより、振り子を押すときはコレクター電流により他方のコイルの中に挿入した状態の永久磁石を押す力を発生させる。一方、振り子が戻るときはコレクター電流が流れないので振り子を押す力は発生しない。
【実施例１】
【０００８】
以下本発明の実施例１を図１に示し説明する。実施例１に係る防犯液噴射装置１はケーシング１３の中に設置したタンク１１、ポンプ１２、４本のノズル２０、電源ユニット１４及び制御ユニット１５などを有している。
タンク１１の底にはオス継手２１とメス継手２２とからなるワンタッチ継手３１を設置し、タンク１１側にはオス継手２１を入口配管１６側にはメス継手２２をそれぞれ取り付けた。このとき、メス継手２２をケーシング１３固定しない方法と、メス継手２２をケーシング１３に固定する方法とがある。
メス継手２２をケーシング１３固定しない場合は入口配管１６として可撓性のあるゴムホースを使用して長さも長尺にして余裕を持たせる。いっぽうメス継手２２をケーシング１３に固定する場合は入口配管１６として可撓性のある材料を使用する必要はない。
また、入口配管１６の他端はポンプ１２の吸込口の継手に接続した。一方、ポンプ１２の吐出口と４本のノズル２０の間は出口配管１７と分岐管１８を使用して接続した。
本実施例の防犯液噴射装置１はタンク１１内に防犯液を収容して、店舗の出入口の上部に設置し店舗に出入りする人に向けて噴射するよう配置する。さらに、カウンター前の顧客の立ち位置に向けて防犯液を噴射するようカウンター付近に配置する。
そして、店員がボタンを押すことが可能な位置にボタンを設置し、無線通信手段を用いて、ボタンを押したときにポンプが駆動して防犯液を噴射するようにした。ここで、店の出入口に設置する防犯液噴射装置１は一度噴射ボタンを押した後は停止ボタンを押すまで防犯液を噴射し続けるようにすることが好ましく、カウンター付近に設置する防犯液噴射装置１はボタンを押している間だけ防犯液を噴射するようにすることが好ましい。
【０００９】
本実施例の防犯液噴射装置１を設置した店舗の店員は時々タンク１１の取っ手２３を手に持ちタンク１１を持ち上げて振ることができる。メス継手２２をケーシング１３に固定しない場合はゴムホースをタンク１１と一緒に持ち上げて振る。メス継手２２をケーシング１３に固定したときは、ワンタッチ継手で分離してオス継手２１とタンク１１を一緒に持ち上げて振る。これらの作業を行うことにより塗料等が溶媒から分離してしまう問題は生じることがなくなる。
本発明に係る防犯液噴射装置１を設置した店舗に強盗が押し込んだときには、店員はまず出入口に取り付けた防犯液噴射装置１のボタンを押す。するとポンプ１２が駆動してタンク１１内の防犯液を吸引してノズル２０から噴射させる。
このときタンク１１内の防犯液はワンタッチ継ぎ手３１及び入口配管１６を通ってポンプ１２に吸引され、さらにポンプ１２によって加圧されて出口配管１７及び分岐管１８を通ってノズル２０から噴出する。
出入口に取り付けた防犯液噴射装置１は連続的に防犯液を噴射し続けるので、外から店舗に入ろうとする人に店舗に強盗が押し入ったことを知らせて警告する効果と、店舗外にいる人が異常に気づいて警察に通報することを可能とする効果が得られた。
また、強盗犯が出入口から逃走するときに強盗犯に防犯液を吹き付ける効果と、床に溜まった防犯液が強盗犯の靴に付着したり、はねてズボンに付着する効果が得られた。
強盗犯が店舗内のカウンター前の顧客の立ち位置に立ったときには、店員はカウンター付近に取り付けた防犯液噴射装置１のボタンを押す。
この場合は、防犯液噴射装置１のノズル２０が防犯液を噴射する位置に強盗犯が立ったときに防犯液を噴射させることが可能なため、強盗犯に防犯液を命中させる確率が高くなり、確実に強盗犯に防犯液を付着させる効果と無駄な防犯液の消費を防止する効果が得られた。
【実施例２】
【００１０】
実施例２の発明は、タンク内に攪拌装置４を取り付けた発明である。そこで、実施例２に係るタンクを図２に示し説明する。
実施例２のタンクは円筒形状のタンク本体２５と蓋２６とで容器を構成し、蓋２６に取り付けたモータ２７によって垂直に設置した軸２８を回転させ、軸２８には丸棒をＵ字に折り曲げた複数の攪拌部３０を取り付けて攪拌装置４を構成した。
実施例２の発明では、回転する軸２８に取り付けた攪拌部３０が軸２８を中心に旋回することにより防犯液を攪拌する効果が得られた。
本実施例では攪拌部３０を丸棒で構成したが、これを板を傾斜させて取り付けた攪拌部としても、角パイプやアングル材を取り付けた攪拌部としてもよい。また攪拌装置としては、タンク内を上下方向又は水平方向に往復移動するする格子状の攪拌板を取り付ける方法もある。さらに、空気ポンプを取り付けて防犯液の下から上に向かって空気を噴出させて防犯液に上昇する流れを起こさせることにより攪拌する方法などもあり、攪拌装置の構成についてこだわるものではない。
【実施例３】
【００１１】
さらに実施例３の発明について図３に示し説明する。実施例３の発明は防犯液噴射装置２に振り子装置３を取り付けた発明である。
振り子装置３はピン３ａを中心として揺動するアーム３ｃと、アーム３ｃに取り付けた永久磁石３ｄであってピン３ａと同一の中心を有する円弧の一部で構成した永久磁石３ｄと、押す方向３ｎに振り子が振りきったときに永久磁石３ｄの右端がコイル３ｅの中を貫通し、戻り方向３ｐに振り切ったときにに永久磁石３ｄの左端がコイル３ｆの中を貫通する位置にそれぞれコイル３ｅとコイル３ｆを取り付けた。
防犯液噴射装置２はアーム３ｃの下端にピン３ｂとブラケット３ｍを介して取り付け、防犯液噴射装置２はピン３ｂを中心にして揺動可能に取り付けた。
制御装置にはＰＮＰ型のトランジスタ３ｊを設け、トランジスタ３ｊのエミッタ端子とコイル３ｅの一端とを抵抗３ｇを介して接続した。また、エミッタ端子とコイル３ｆの一端とを電池３ｋと抵抗３ｈを介して接続した。そして、ベース端子とコイル３ｅの他端とを接続し、コレクター端子とコイル３ｆの他端とを接続した。
このように構成することにより、押す方向３ｎに永久磁石３ｄが振れる場合はコイル３ｅに飽和電圧を発生させてエミッタ端子からベース端子に電流が流れる。それによってエミッタ端子からコレクタ端子にコレクター電流が流れる。コレクター電流によりコイル３ｆに発生する磁界は永久磁石３ｄを押す。
一方、戻り方向３ｐに永久磁石３ｄが振れる場合はコイル３ｅに飽和電圧は発生せずエミッタ端子からベース端子に電流が流れない。このためコレクター電流は流れることなく永久磁石３ｄを押す力は発生しない。
このため本振り子装置３は、振り子を押すときだけ電池３ｋの電力を使用し、振り子が戻るときは電池３ｋの電力を消費しない効果が得られた。また、振り子装置３に取り付けた防犯液噴射装置２は常に揺動するので、タンク内に格納した防犯液は常に攪拌される効果が得られた。
【産業上の利用可能性】
【００１２】
本発明は、塗料や蛍光液などを製造する化学産業、防犯液噴射装置を製造販売する製造産業だけではなく、銀行、郵便局、コンビニエンスストア及びパチンコの景品交換所などサービス産業においても利用される。
【図面の簡単な説明】
【００１３】
【図１】防犯液噴射装置の一部を切り欠いた斜視図である。
【図２】攪拌装置付きタンクの一部を切り欠いた斜視図である。
【図３】振り子を取り付けた防犯噴射装置の構成図である。
【符号の説明】
【００１４】
１  ：防犯液噴射装置      ２  ：防犯液噴射装置      ３  ：振り子装置
３ａ：ピン                ３ｂ：ピン                ３ｃ：アーム
３ｄ：永久磁石            ３ｅ：コイル              ３ｆ：コイル
３ｇ：抵抗                ３ｈ：抵抗                ３ｊ：トランジスタ
３ｋ：電池                ３ｍ：ブラケット          ３ｎ：押す方向
３ｐ：戻り方向            ４  ：攪拌装置          １１  ：タンク
１２  ：ポンプ            １３  ：ケーシング        １４  ：電源ユニット
１５  ：制御ユニット      １６  ：入口配管          １７  ：出口配管
１８  ：分岐管            ２０  ：ノズル            ２１  ：オス継手
２２  ：メス継手          ２３  ：取っ手            ２５  ：タンク本体
２６  ：蓋                ２７  ：モータ            ２８  ：軸
３０  ：攪拌部            ３１  ：ワンタッチ継手
【図１】
2006172334.tif 000003
【図２】
2006172334.tif 000004
【図３】
2006172334.tif 000005